(57)【要約】【課題】加振時の振動性能の低下を適切に抑える撮像装置を提供する。【解決手段】撮像装置は、被写体を撮像する撮像素子２５０と、撮像素子２５０の撮像面１０側に配設される光学部材２１２と、光学部材２１２に振動を与える加振部材２６１、２６２と、振動する光学部材２１２の変形に追従する速度が互いに異なる非金属の第１部材２４１Ａ、２４１Ｂおよび第２部材２４２によって光学部材２１２を支持する支持部材とを備える。【選択図】図６
2010035150.tif 000002
【特許請求の範囲】
【請求項１】
被写体を撮像する撮像素子と、
前記撮像素子の撮像面側に配設される光学部材と、
前記光学部材に振動を与える加振部材と、
振動する前記光学部材の変形に追従する速度が互いに異なる非金属の第１部材および第２部材によって前記光学部材を支持する支持部材とを備えることを特徴とする撮像装置。
【請求項２】
請求項１に記載の撮像装置において、
前記支持部材は、前記光学部材の前記撮像素子側に配される前記第２部材と、前記光学部材に対して前記第２部材と反対側に配される前記第１部材とで前記光学部材を挟むことを特徴とする撮像装置。
【請求項３】
請求項１または２に記載の撮像装置において、
前記光学部材の変形に追従する速度は、前記第２部材による速度が前記第１部材による速度より速いことを特徴とする撮像装置。
【請求項４】
請求項１〜３のいずれか一項に記載の撮像装置において、
前記加振部材は、前記撮像素子と反対側の面から前記光学部材に振動を与えることを特徴とする撮像装置。
【請求項５】
請求項１〜４のいずれか一項に記載の撮像装置において、
前記支持部材のうち少なくとも前記第１部材は発泡材料で形成されていることを特徴とする撮像装置。
【請求項６】
請求項５に記載の撮像装置において、
前記支持部材のうち前記第２部材も発泡材料で形成されていることを特徴とする撮像装置。
【請求項７】
請求項１〜６のいずれか一項に記載の撮像装置において、
前記第１部材は、前記加振部材に沿って配設されることを特徴とする撮像装置。
【請求項８】
請求項１〜７のいずれか一項に記載の撮像装置において、
前記第２部材は、前記光学部材の前記撮像素子側の空間を閉じるシールド部材を兼ねることを特徴とする撮像装置。
【請求項９】
請求項１〜８のいずれか一項に記載の撮像装置において、
前記加振部材は、前記第２部材が追従する周波数であって、前記第１部材が追従しない定常波の周波数で振動するように前記光学部材を加振することを特徴とする撮像装置。
【請求項１０】
被写体を撮像する撮像素子と、
前記撮像素子の撮像面側に配設される光学部材と、
前記光学部材に振動を与える加振部材と、
発泡材料によって形成され、前記光学部材を支持する支持部材とを備えることを特徴とする撮像装置。
【発明の詳細な説明】
【技術分野】
【０００１】
本発明は、撮像装置に関する。
【背景技術】
【０００２】
撮像素子の撮像面側を封止して保護する防塵部材を振動させることにより、該防塵部材に付着した塵埃を除去する技術が知られている（特許文献１参照）。特許文献１には、防塵部材と防塵部材受け部材とを軟性部材を介して接合することにより、気密的に接合し、防塵部材の振動が減衰するのを抑制する旨が開示されている。
【先行技術文献】
【特許文献】
【０００３】
【特許文献１】特開２００３−３４８３９７号公報
【発明の概要】
【発明が解決しようとする課題】
【０００４】
従来の技術では、軟性部材が防塵部材の振動による変形に追従する速度について考慮されておらず、単に軟性を有するだけでは振動性能が低下するという問題があった。
【課題を解決するための手段】
【０００５】
（１）請求項１に記載の発明による撮像装置は、被写体を撮像する撮像素子と、撮像素子の撮像面側に配設される光学部材と、光学部材に振動を与える加振部材と、振動する光学部材の変形に追従する速度が互いに異なる非金属の第１部材および第２部材によって光学部材を支持する支持部材とを備えることを特徴とする。
（２）請求項１０に記載の発明による撮像装置は、被写体を撮像する撮像素子と、撮像素子の撮像面側に配設される光学部材と、光学部材に振動を与える加振部材と、発泡材料によって形成され、光学部材を支持する支持部材とを備える。
【発明の効果】
【０００６】
本発明による撮像装置では、加振時の振動性能の低下を適切に抑えることができる。
【図面の簡単な説明】
【０００７】
【図１】デジタルカメラを側面から見た断面図である。
【図２】デジタルカメラの構成を説明するブロック図である。
【図３】撮像ユニットの斜視図である。
【図４】撮像ユニットの分解図である。
【図５】図４の要部を拡大した図である。
【図６】撮像ユニットを上から見た断面を例示する図である。
【図７】様々な種類の発泡体における圧縮荷重と圧縮率の関係を表したグラフを例示する図である。
【図８】第２ローパスフィルタが振動する状態を説明する図であり、(a)は振動開始当初を例示する図、(b)は次の振動状態を例示する図、(c)は振動停止の瞬間を例示する図である。
【図９】第二の実施形態による撮像ユニットを上から見た断面を例示する図である。
【図１０】変形例１による撮像ユニットを上から見た断面を例示する図である。
【発明を実施するための形態】
【０００８】
以下、図面を参照して本発明を実施するための形態について説明する。
（第一の実施形態）
図１〜８を参照して、本発明の第一の実施形態によるデジタルカメラを説明する。図１は、デジタルカメラを側面から見た断面図である。なお、説明の便宜上、各図に示すように前後左右および上下方向を規定する。左右方向については、デジタルカメラを正面から見たときの左右方向と一致するように規定する。このデジタルカメラＣＡはレンズ交換式の一眼レフタイプであり、撮影レンズＬを有する交換レンズＬＢがレンズマウント２１を介してカメラ本体ＣＢに装着される。撮影レンズＬを透過した被写体光束は、レンズマウント２１の開口２１ａを通ってカメラ本体ＣＢ内に導かれ、ミラー２２で反射されてファインダスクリーン２３上に結像され、ペンタプリズム２４、接眼レンズ２５を介して観察される。
【０００９】
レリーズ操作がなされると、ミラー２２が跳ね上げられて撮影光路から退避し、続いてシャッタ装置であるフォーカルプレーンシャッタ１００が駆動され、撮影レンズＬの透過光束は、撮像ユニット２００に設けられたＣＣＤなどの撮像素子２５０に入射する。撮像素子２５０の光電変換出力は、後述する画像処理部にて種々の処理が施され、デジタル画像データが生成される。なお、撮像素子２５０には、ＣＣＤ以外の撮像素子（例えば、ＣＭＯＳセンサ）を用いてもよい。
【００１０】
図２は、デジタルカメラＣＡの構成を説明するブロック図である。演算回路１０１は、マイクロコンピュータなどによって構成される。演算回路１０１は、後述する各部から出力される信号を入力して所定の演算を行い、演算結果に基づく制御信号を各部へ出力する。演算回路１０１と後述する各部とは互いに接続されている。
【００１１】
撮像素子２５０は、撮影レンズＬを通過した被写体光による像を撮像し、撮像信号を画像処理部１２３へ出力する。画像処理部１２３は、Ａ／Ｄ変換回路やＡＳＩＣなどによって構成される。画像処理部１２３は、アナログ撮像信号をデジタル信号に変換して、デジタル変換後の画像データにホワイトバランス処理などの画像処理を行う。また画像処理部１２３は、画像処理後の画像データを所定の形式で圧縮する圧縮処理、圧縮された画像データを伸長する伸長処理などを行う。
【００１２】
レリーズスイッチ１４１は、不図示のレリーズボタンに連動してレリーズ操作信号を演算回路１０１に出力する。レリーズ操作信号には、レリーズボタンの半押し操作に対応する半押し操作信号と、半押し操作より深く押下される全押し操作に対応する全押し操作信号とがある。操作スイッチ１４３は、カメラ本体ＣＢに設けられて不図示の各操作ボタンが操作されると、それぞれ操作信号を演算回路１０１に出力するスイッチ群である。
【００１３】
振動板制御装置１５１は、演算回路１０１から出力される信号に基づいて後述する振動板２６１、２６２を駆動する。表示制御部１６１は、演算回路１０１から出力される信号に基づいて、たとえばカメラ本体ＣＢの背面に設けられた表示装置７ａの表示制御を行う制御部である。レンズ駆動制御部１６３は、演算回路１０１から出力される信号に基づいて、合焦動作や焦点距離変更動作を行うように交換レンズＬＢのレンズ群（撮影レンズＬ）を駆動する。シーケンスモータ駆動部１６４は、演算回路１０１から出力される信号に基づいてシーケンスモータ１６４ａを駆動する。シーケンスモータ１６４ａは、ミラー２２の回動や、フォーカルプレーンシャッタ１００のチャージ動作などを行うためのモータである。
【００１４】
記憶媒体装着部１６５は、不図示の記憶媒体を着脱可能に保持し、装着された記憶媒体に記録されたデータの読み込みや消去、記憶媒体へのデータの書き込みを行う。記憶媒体には、画像処理後の画像データが記録される。なお、フォーカルプレーンシャッタ１００の動作を開始させるためのマグネットや露光制御のための測光センサなどについては本願発明に直接関係しないため記載を省略する。
【００１５】
＜撮像ユニット＞
図３は撮像ユニット２００の斜視図であり、図４は撮像ユニット２００の分解図である。図３および図４に示すように、撮像ユニット２００は、ホルダー２０１と、撮像基板２５１と、撮像素子２５０と、マスク２０２と、第１ローパスフィルタ２１１と、固定部材２０３と、シール部材２４３と、第２ローパスフィルタ２１２と、ローパスフィルタ押さえ枠２０５と、固定部材押さえバネ２０６とを備えている。ホルダー２０１は、撮像素子２５０や撮像基板２５１、固定部材２０３などが取り付けられる部材である。撮像基板２５１は、撮像素子２５０が接続される基板であり、上述した画像処理部１２３と接続される。
【００１６】
撮像素子２５０は、上述したＣＣＤなどの固体撮像素子である。撮像素子２５０は、撮像基板２５１と電気的に接続された状態で、図４において符号２０１ａで示したホルダー２０１の凸部に接着されて固定されている。マスク２０２は、たとえばゴムなどの弾性体で形成された枠状の部材であり、撮像素子２５０の前方に配設されている。マスク２０２は、撮像素子２５０の撮像領域以外への被写体光の進入を遮断するほか、後述する第１ローパスフィルタ２１１と撮像素子２５０との間の空間への異物の侵入を防止するとともに、撮像素子２５０に対する第１ローパスフィルタ２１１の位置を決定する。
【００１７】
第１ローパスフィルタ２１１は、たとえば、複屈折板、１／４波長板および赤外カットガラス板が積層された光学部材である。第１ローパスフィルタ２１１は、赤外光をカットするとともにモアレなどの発生を防止する。第１ローパスフィルタ２１１は、後述する固定部材２０３を介して固定部材押さえバネ２０６の付勢力によってマスク２０２に対して押圧されることで、撮像素子２５０に対して位置決めされて固定される。
【００１８】
固定部材２０３は、後述する第２ローパスフィルタ２１２、シール部材２４３、ローパスフィルタ押さえ枠２０５が取り付けられるとともに、第１ローパスフィルタ２１１やマスク２０２をホルダー２０１に向かって押圧する部材である。シール部材２４３は、たとえば、ゴムなどの弾性体で形成された枠状の部材であり、固定部材２０３と第２ローパスフィルタ２１２との間で固定部材２０３に対する第２ローパスフィルタ２１２の位置を決定する。
【００１９】
第２ローパスフィルタ２１２は、上述した第１ローパスフィルタ２１１と同様の複屈折板で構成された光学部材であり、モアレなどを防止する。第２ローパスフィルタ２１２の前面の左右端近傍には、後述する振動板２６１、２６２が接着されて固定されている。
【００２０】
図５は、図４に例示した分解図の要部を拡大した図である。第２ローパスフィルタ２１２の前面左側に振動板２６１が配設され、第２ローパスフィルタ２１２の前面右端に振動板２６２が配設される。
【００２１】
ローパスフィルタ押さえ枠２０５は、第２ローパスフィルタ２１２を固定部材２０３との間で挟持させるための略矩形形状の枠状の部材である。ローパスフィルタ押さえ枠２０５は、固定部材２０３に対してネジ２９１などで固定される。このとき、第２ローパスフィルタ２１２の前後にそれぞれ第１発泡体２４１（２４１Ａ、２４１Ｂ）および第２発泡体２４２を介挿させることにより、第２ローパスフィルタ２１２が固定部材２０３とローパスフィルタ押さえ枠２０５との間で、第１発泡体２４１Ａ、２４１Ｂと第２発泡体２４２とによって挟むように支持される。
【００２２】
第１発泡体２４１Ａ、２４１Ｂおよび第２発泡体２４２による第２ローパスフィルタ２１２の挟持について、図６を参照して説明する。図６は、撮像ユニットを上から見た断面を例示する略図である。なお、わかりやすく図示するために実際より前後方向の距離を長くしている。
【００２３】
図６において、撮像素子２５０上の撮像面１０を覆うようにカバーガラス１０Ａが設けられており、その上（前方）にマスク２０２が配される。そして、第１ローパスフィルタ２１１が固定部材２０３によってカバーガラス１０Ａ方向（後方）へ押圧されている。
【００２４】
上述したように、シール部材２４３はゴムなどで形成された枠状部材である。第２発泡体２４２は、たとえば、ウレタン系発泡体のポロン（登録商標）で形成された枠状部材である。第２ローパスフィルタ２１２の上（前方）に配設される第１発泡体２４１Ａ、２４１Ｂは、たとえば、オレフィン系発泡体のＳＣＦ（登録商標）で形成された線状部材である。あるいは、第１発泡体２４１Ａ、２４１Ｂおよび第２発泡体２４２に代えて、植毛紙や、形状記憶合金を用いた超弾性合金などを使用してもよい。第１発泡体２４１Ａは振動板２６２と平行に配設され、第１発泡体２４１Ｂは振動板２６１と平行に配設される。
【００２５】
第１発泡体２４１Ａ、２４１Ｂおよび第２発泡体２４２は、ローパスフィルタ押さえ枠２０５が固定部材２０３に固定された状態において、その前後方向の厚さが所定量潰れるように構成されている。これにより、第１発泡体２４１Ａ、２４１Ｂおよび第２発泡体２４２が第２ローパスフィルタ２１２を所定の圧力で挟持することができる。すなわち、第１発泡体２４１Ａ、２４１Ｂおよび第２発泡体２４２が元の厚さに対してそれぞれ所定の圧縮率で圧縮されることで、その圧縮率に応じた反発力（復元力）が第１発泡体２４１Ａ、２４１Ｂおよび第２発泡体２４２においてそれぞれ発生し、これが第２ローパスフィルタ２１２を挟持するように作用する。
【００２６】
なお、ローパスフィルタ押さえ枠２０５を固定部材２０３に固定したときの第１発泡体２４１Ａ、２４１Ｂおよび第２発泡体２４２の圧縮率は、その発泡性を損なわない範囲とすることが好ましい。これを図７を用いて以下に説明する。図７は、第１発泡体２４１Ａ、２４１Ｂおよび第２発泡体２４２として用いられる様々な種類の発泡体における圧縮荷重と圧縮率の関係を表したグラフの例を示している。この図において、圧縮率が約７０％を超える領域では、いずれの発泡体でもグラフが線形を示している。このような線形領域では、発泡体内部の気泡が潰れてしまって発泡性が損なわれており、通常のゴム等の弾性体と同様の振る舞いをすると考えられるため、後述するように第２ローパスフィルタ２１２を振動させたときにその振動を減衰させやすくなる。したがって、これよりも低い圧縮率でグラフが非線形を示す非線形領域の範囲となるように圧縮率を設定することで、発泡性を損なわないようにする。
【００２７】
たとえば、第１発泡体２４１Ａ、２４１Ｂおよび第２発泡体２４２の元の厚さがそれぞれ０．５ｍｍであれば、ローパスフィルタ押さえ枠２０５を固定部材２０３に固定した後のこれらの厚さが０．２〜０．３ｍｍとなるように、また第１発泡体２４１Ａ、２４１Ｂおよび第２発泡体２４２の元の厚さがそれぞれ１ｍｍであれば、ローパスフィルタ押さえ枠２０５を固定部材２０３に固定した後のこれらの厚さが０．４〜０．６ｍｍとなるように、ローパスフィルタ押さえ枠２０５の形状を決定する。これにより、圧縮率を４０〜６０％に設定して非線形領域の範囲内とすることができる。
【００２８】
図３、図４において、固定部材押さえバネ２０６は、固定部材２０３をホルダー２０１に固定するためのバネ部材である。固定部材押さえバネ２０６は、ネジ２９２によってホルダー２０１に取り付けられる。これにより、ローパスフィルタ押さえ枠２０５が取り付けられた固定部材２０３をホルダー２０１に向かって付勢しつつ、固定部材２０３をホルダー２０１に固定する（図３）。
【００２９】
また、ネジ２９２によって固定部材押さえバネ２０６がホルダー２０１に取り付けられると、上述したように、固定部材押さえバネ２０６によって付勢された固定部材２０３が第１ローパスフィルタ２１１やマスク２０２をホルダー２０１に向かって押圧して固定する。このようにして、撮像基板２５１と、撮像素子２５０と、マスク２０２と、第１ローパスフィルタ２１１と、固定部材２０３と、シール部材２４３と、第２ローパスフィルタ２１２とがホルダー２０１に対して固定される。これらの各部材が取り付けられたホルダー２０１、すなわち撮像ユニット２００は、カメラ本体ＣＢに取り付けられて固定される。
【００３０】
以上説明した構成により、撮像素子２５０のカバーガラス１０Ａの前側表面から第１ローパスフィルタ２１１の後側表面まで、および、第１ローパスフィルタ２１１の前側表面から第２ローパスフィルタ２１２の後側表面までは、密閉された空間が形成される。したがって、これらの空間内に外部から異物が侵入することはない。しかし、第２ローパスフィルタ２１２の前側表面はカメラ本体ＣＢ内の空間に露出しているため、塵埃などの異物が付着することがある。そこで、本実施の形態のデジタルカメラＣＡでは、振動板２６１、２６２を振動させることによって第２ローパスフィルタ２１２を振動させて、第２ローパスフィルタ２１２の前側表面に付着した異物を払い落とす。
【００３１】
＜塵埃除去＞
第２ローパスフィルタ２１２に付着した塵埃を除去する動作について説明する。振動板２６１、２６２は、圧電素子によって構成される。図３に例示したように、第２ローパスフィルタ２１２の前側表面の左右端近傍で、第２ローパスフィルタ２１２の上下方向に延在する辺（短辺）に沿って延在する。振動板２６１、２６２は、それぞれ可撓性を有するフレキシブルプリント基板（ＦＰＣ）２６３、２６４によって振動板制御装置１５１（図２）と電気的に接続されている。振動板２６１、２６２は、それぞれに振動板制御装置１５１から所定周波数の駆動信号が供給されると振動する。この振動が第２ローパスフィルタ２１２に伝達されると、第２ローパスフィルタ２１２自体が振動する。
【００３２】
図８は、第１発泡体２４１Ａ、２４１Ｂおよび第２発泡体２４２で挟持されている部分において第２ローパスフィルタ２１２が振動する状態を説明する図である。図８(a)は振動開始当初を例示する図、図８(b)は次の振動状態を例示する図、図８(c)は振動停止の瞬間を例示する図である。振動中（すなわち、塵埃除去中)は、図８(b)の状態→図８(c)の状態→図８(b)の反転状態→図８(c)の状態を繰り返す。
【００３３】
図８(b)および図８(c)によれば、第１発泡体２４１Ａ、２４１Ｂを構成するＳＣＦ（登録商標）は、振動定常波の節で第２ローパスフィルタ２１２を支えるので、振動の際の変形に伴う弾性エネルギーの損失を抑えられる。すなわち、ＳＣＦ（登録商標）の第２ローパスフィルタ２１２に対する密着性が低く、接触面積が少ないことから第２ローパスフィルタ２１２の振動を減衰させにくい。密着性が低いことは、第２ローパスフィルタ２１２の変形に合わせるようにＳＣＦ（登録商標）自身が変形する（追従する）場合の応答速度が遅いことに起因する。
【００３４】
一方、第２発泡体２４２を構成するポロン（登録商標）は、第２ローパスフィルタ２１２に対する密着性が高く、ポロン（登録商標）の面で第２ローパスフィルタ２１２を支える。接触面積が広いことから第１発泡体２４１Ａ、２４１Ｂに比べて第２ローパスフィルタ２１２の振動を減衰させやすいものの、第２ローパスフィルタ２１２に対する密着性がよいことから防塵性能が高い。密着性が高いことは、第２ローパスフィルタ２１２の変形に合わせるようにポロン（登録商標）自身が変形する（追従する）場合の応答速度が速いことに起因する。
【００３５】
換言すると、第２発泡体２４２は、第１発泡体２４１Ａ、２４１Ｂと比較して、変形させたときに元に戻ろうとする力（復元力、反発力）が強い。すなわち、第２発泡体２４２の弾性率は、第１発泡体２４１Ａ、２４１Ｂの弾性率よりも高く、変形（ひずみ）に対する応力が大きい。
【００３６】
なお、振動板２６１、２６２の振動によって第２ローパスフィルタ２１２が振動することにより、第２ローパスフィルタ２１２において生じる定常波の周波数は、振動板制御装置１５１から振動板２６１、２６２に供給される駆動信号の位相および周波数を変化させることによって制御される。本実施形態では、第２ローパスフィルタ２１２の左右方向に延在する辺（長辺）に沿って振動定常波の腹が所定数現れ、かつ、第２発泡体２４２を構成するポロン（登録商標）が追従する周波数であって、第１発泡体２４１Ａ、２４１Ｂを構成するＳＣＦ（登録商標）が追従しえない周波数となるように振動定常波の周波数を制御する。
【００３７】
これにより、第１発泡体２４１Ａ、２４１Ｂが振動定常波の節で第２ローパスフィルタ２１２を支えるとともに、第２発泡体２４２がその面で第２ローパスフィルタ２１２を支える。
【００３８】
以上説明した第一の実施形態によれば、以下の作用効果が得られる。
（１）振動する第２ローパスフィルタ２１２の変形に追従する応答速度が互いに異なる第１発泡体２４１Ａ，２４１Ｂおよび第２発泡体２４２によって第２ローパスフィルタ２１２を支持するようにした。たとえば、防塵性能が要求される場合と塵埃を除去する際の振動性能が要求される場合とで上記発泡体を使い分ければ、振動性能の低下を適切に抑えることができる。
【００３９】
（２）第２ローパスフィルタ２１２の撮像素子２５０側に第２発泡体２４２を配し、第２ローパスフィルタ２１２の撮像素子２５０と反対側に第１発泡体２４１Ａ，２４１Ｂを配したので、空間を密閉したい側と、振動性能が要求される側とにそれぞれ適した発泡材料を配することができる。
【００４０】
（３）第２発泡体２４２による第２ローパスフィルタ２１２の変形に対する応答速度が、第１発泡体２４１Ａ，２４１Ｂによる第２ローパスフィルタ２１２の変形に対する応答速度より速い構成にしたので、撮像素子２５０側で第２ローパスフィルタ２１２との密着性を高め、反対側で第２ローパスフィルタ２１２の振動性能を低下させにくくなる。つまり、塵埃の侵入を防止したい側の面に対して密着性を高め、塵埃を除去したい側の面で振動の減衰を抑えることができる。
【００４１】
（４）振動板２６１、２６２を第２ローパスフィルタ２１２の撮像素子２５０と反対側に配したので、塵埃を除去したい側の面から効率よく振動を与えることができる。
【００４２】
（５）第２ローパスフィルタ２１２の両面側に発泡体２４１Ａ，２４１Ｂ、２４２を配するようにした。発泡体はゴムに比べて応答速度が遅いので、一方の面側にゴムなどの材料を用いる場合に比べて、振動の減衰を適切に抑えることができる。
【００４３】
（６）振動板２６１、２６２に沿って平行に第１発泡体２４１Ａ，２４１Ｂを配したので、振動板２６１、２６２と直交するように第１発泡体２４１Ａ，２４１Ｂを配する場合に比べて、振動の減衰を適切に抑えることができる。
【００４４】
（７）第２発泡体２４２を枠状に構成して塵埃の侵入を防止したい空間のシールド部材を兼ねたので、発泡体による支持部材と別に枠状のシールド部材を配する場合に比べて、第２ローパスフィルタ２１２に接する部材の数を抑えて振動の減衰を適切に抑えることができる。
【００４５】
（８）第２発泡体２４２が追従する周波数であって、第１発泡体２４１Ａ、２４１Ｂが追従しえない周波数となるように振動定常波の周波数を制御するようにしたので、確実に、塵埃の侵入を防止したい側の面に対して密着性を高め、塵埃を除去したい側の面で振動の減衰を抑えることができる。
【００４６】
（第二の実施形態）
第一の実施形態では、固定部材２０３によって第１ローパスフィルタ２１１やマスク２０２をホルダー２０１に向かって押圧した。この代わりに、ローパスフィルタ押さえ枠２０５Ｂによって各部材をホルダー２０１に向けて押圧する構成にしてもよい。
【００４７】
図９は、第二の実施形態による第２ローパスフィルタ２１２の挟持を説明する図である。図６と同様に、撮像ユニットを上から見た断面を例示する。なお、わかりやすく図示するために実際より前後方向の距離を長くしている。第一の実施形態における図６に比べて、第２発泡体２４２、シール部材２４３、およびマスク２０２が省略されている。さらに、固定部材２０３のうち第１ローパスフィルタ２１１をホルダー２０１へ向けて押圧する部位が省略される点と、位置決め部材２０２Ｂが追加されている点とが図６の場合と異なる。
【００４８】
図９において、撮像素子２５０上の撮像面１０を覆うようにカバーガラス１０Ａが設けられており、その上（前方）に位置決め部材２０２Ｂが介挿される。位置決め部材２０２Ｂは、たとえばゴムなどで形成された枠状部材である。
【００４９】
ローパスフィルタ押さえ枠２０５Ｂは、第２ローパスフィルタ２１２をはじめとする各部材をホルダー２０１との間で挟持させるための略矩形形状の枠状の部材である。ローパスフィルタ押さえ枠２０５Ｂは、固定部材２０３に対してネジ２９１などで固定される。そして、固定部材２０３が固定部材押さえバネ２０６を用いてホルダー２０１に固定されることにより、固定部材２０３と一体化されているローパスフィルタ押さえ枠２０５Ｂをホルダー２０１に向かって付勢しつつ、該ローパスフィルタ押さえ枠２０５Ｂをホルダー２０１に固定する（図３）。
【００５０】
上述したように、位置決め部材２０２Ｂが介挿されているので、第２ローパスフィルタ２１２の前の第１発泡体２４１（２４１Ａ、２４１Ｂ）と、第２ローパスフィルタ２１２の後ろの位置決め部材２０２Ｂとで、第２ローパスフィルタ２１２を挟むように支持する。なお、シート２４４は、第２ローパスフィルタ２１２の振動時に第１ローパスフィルタ２１１と第２ローパスフィルタ２１２とが接触しないように介挿される。
【００５１】
第１発泡体２４１Ａ、２４１Ｂおよび位置決め部材２０２Ｂは、、ローパスフィルタ押さえ枠２０５Ｂがホルダー２０１に固定された状態において、その前後方法の厚さが所定量潰れるように構成されている。これにより、第１発泡体２４１Ａ、２４１Ｂおよび位置決め部材２０２Ｂが第２ローパスフィルタ２１２を所定の圧力で挟持することができる。すなわち、第１発泡体２４１Ａ、２４１Ｂおよび位置決め部材２０２Ｂが元の厚さに対してそれぞれ所定の圧縮率で圧縮されることで、その圧縮率に応じた反発力（復元力）が第１発泡体２４１Ａ、２４１Ｂおよび位置決め部材２０２Ｂにおいてそれぞれ発生し、これが第２ローパスフィルタ２１２を挟持するように作用する。
【００５２】
本実施形態では、第２ローパスフィルタ２１２の左右方向に延在する辺（長辺）に沿って振動定常波の腹が所定数現れ、かつ、位置決め部材２０２Ｂを構成するゴムが追従する周波数であって、第１発泡体２４１Ａ、２４１Ｂを構成するＳＣＦ（登録商標）が追従しえない周波数となるように振動定常波の周波数を制御する。
【００５３】
これにより、第１発泡体２４１Ａ、２４１Ｂが振動定常波の節で第２ローパスフィルタ２１２を支えるとともに、位置決め部材２０２Ｂがその面で第２ローパスフィルタ２１２を支える。
【００５４】
以上説明した第二の実施形態によれば、第２ローパスフィルタ２１２の撮像素子２５０と反対側に第１発泡体２４１Ａ，２４１Ｂを配するようにした。第２ローパスフィルタ２１２の撮像素子２５０側にはゴム製の位置決め部材２０２Ｂを配する。発泡体はゴムより応答速度が遅いので、ゴムが追従する周波数であって、ＳＣＦ（登録商標）が追従しえない周波数となるように振動定常波の周波数を制御すれば、塵埃を除去したい側の面で第２ローパスフィルタ２１２の振動性能を低下させにくくなる。この結果、確実に、塵埃の侵入を防止したい側の面に対して密着性を高め、塵埃を除去したい側の面で振動の減衰を抑えることができる。
【００５５】
（変形例１）
第一の実施形態および第二の実施形態では、第２ローパスフィルタ２１２を前後からそれぞれ異なる部材で挟む例を説明した。この代わりに、一体化した発泡体で構成される挟持部材３０１によって第２ローパスフィルタ２１２を挟持するようにしてもよい。
【００５６】
図１０は、変形例による第２ローパスフィルタ２１２の挟持を説明する図である。図６と同様に、撮像ユニットを上から見た断面を例示する。なお、わかりやすく図示するために実際より前後方向の距離を長くしている。第一の実施形態における図６に比べて、第１発泡体２４１Ａ、２４１Ｂ、第２発泡体２４２、シール部材２４３、およびローパスフィルタ押さえ枠２０５が省略されている。さらに、挟持部材３０１が追加されている点が図６の場合と異なる。
【００５７】
図１０において、撮像素子２５０上の撮像面１０を覆うようにカバーガラス１０Ａが設けられており、その上（前方）にマスク２０２が配される。そして、第１ローパスフィルタ２１１が固定部材２０３によってカバーガラス１０Ａ方向（後方）へ押圧される点は図６の場合と同様である。
【００５８】
挟持部材３０１は、オレフィン系発泡体のＳＣＦ（登録商標）で形成された部材であり、固定部材２０３の上（前方）に接着されて固定されている。挟持部材３０１は、第２ローパスフィルタ２１２を挟み込んで挟持する。挟持部材３０１は、第２ローパスフィルタ２１２を挟んだ状態でその前後方向の厚さが所定量潰れるように構成されている。これにより、挟持部材３０１が第２ローパスフィルタ２１２を所定の圧力で挟持することができる。
【００５９】
以上説明した変形例によれば、発泡部材３０１によって第２ローパスフィルタ２１２を支持するようにした。発泡体はゴムより応答速度が遅いので、ゴムなどの材料を用いる場合に比べて、第２ローパスフィルタ２１２の振動の減衰を適切に抑えることができる。
【００６０】
（変形例２）
上述した説明では、オレフィン系発泡体としてＳＣＦ（登録商標）を、ウレタン系発泡体としてポロン（登録商標）を例にあげたが、他の発泡材料を用いても構わない。発泡材料が第２ローパスフィルタ２１２の振動に追従する速度は、当該発泡材料に含まれる気泡の密度や気泡の大小と関連が深い。したがって、挟持する第２ローパスフィルタ２１２のサイズや振動時の定在波の周波数に応じて、使用する発泡材料の種類を適宜使い分けるとよい。同系（たとえば、オレフィン系同士、ウレタン系同士）の発泡体材料でもその気泡の密度、大小が異なる場合は、異なる発泡体材料を用いる場合と同様の作用効果が得られる。さらに、発泡材料以外の物を用いて第２ローパスフィルタ２１２を挟持してもよい。撮像素子２５０側、すなわち塵埃の侵入を防止したい側の面には、第２ローパスフィルタ２１２の変形に追従する応答速度がより速い材料を使用し、反対側、すなわち塵埃を除去したい側の面には、第２ローパスフィルタ２１２の変形に追従する応答速度がより遅い材料を使用する限り、どのような材料を用いて第２ローパスフィルタ２１２を挟持してもよい。
【００６１】
以上の説明はあくまで一例であり、上記の実施形態の構成に何ら限定されるものではない。
【符号の説明】
【００６２】
２００…撮像ユニット
２０５、２０５Ｂ…ローパスフィルタ押さえ枠
２１１…第１ローパスフィルタ
２１２…第２ローパスフィルタ
２４１Ａ、２４１Ｂ…第１発泡体
２４２…第２発泡体
２４３…シール部材
２５０…撮像素子
２６１、２６２…振動板
ＣＡ…デジタルカメラ
ＣＢ…カメラ本体
【図１】
2010035150.tif 000003
【図２】
2010035150.tif 000004
【図３】
2010035150.tif 000005
【図４】
2010035150.tif 000006
【図５】
2010035150.tif 000007
【図６】
2010035150.tif 000008
【図７】
2010035150.tif 000009
【図８】
2010035150.tif 000010
【図９】
2010035150.tif 000011
【図１０】
2010035150.tif 000012